(57)【要約】【課題】スタンド本体内の雰囲気温度の上昇に伴う不具合の発生を抑制する。【解決手段】太陽光を遮る遮光部材６がスタンド本体１の外側に設置されている。故に、遮光部材６によって太陽光が遮られるため、スタンド本体１内の温度上昇、ひいてはコンセントユニット10の筐体11内の温度上昇が抑制される。その結果、インターロック装置16や照明装置17などの電気機器が使用温度範囲の上限を超える温度環境下で使用されることが抑えられ、これらの電気機器の誤動作や故障を防ぐことができる。つまり、本実施形態の充電スタンドでは、スタンド本体１内の雰囲気温度の上昇に伴う不具合の発生を抑制することができる。【選択図】        図１
2012095426.tif 000002
【特許請求の範囲】
【請求項１】
箱状に形成されて屋外に設置されるスタンド本体と、当該スタンド本体内に配設されるコンセント及び電気機器と、前記スタンド本体内の雰囲気温度の上昇を抑制する温度上昇抑制手段とを備えることを特徴とする充電スタンド。
【請求項２】
前記温度上昇抑制手段は、前記スタンド本体の外側に設けられて太陽光を遮る遮光部材であることを特徴とする請求項１記載の充電スタンド。
【請求項３】
前記温度上昇抑制手段は、前記コンセントや電気機器を多重に囲むハウジング構造であることを特徴とする請求項１記載の充電スタンド。
【請求項４】
前記スタンド本体は、下端部分が地中に埋設されてなり、前記温度上昇抑制手段は、前記下端部分における前記スタンド本体内の空気を上方へ送る送風装置であることを特徴とする請求項１記載の充電スタンド。
【請求項５】
前記温度上昇抑制手段は、前記スタンド本体内の空気を冷却する冷却装置であることを特徴とする請求項１記載の充電スタンド。
【発明の詳細な説明】
【技術分野】
【０００１】
本発明は、電気自動車に搭載される蓄電池を充電するための充電スタンドに関する。
【背景技術】
【０００２】
近年、１００ボルト又は２００ボルトの商用交流電源から充電ケーブルを介して蓄電池が充電される電気自動車(プラグインハイブリッド自動車を含む。以下同じ。)が提供され始めている。そして、電気自動車の提供に併せて、住戸の車庫(駐車スペース)などに設置される充電スタンドも提供されている。例えば、特許文献１には、車庫の屋根を支える支柱がスタンド本体に兼用され、当該スタンド本体(支柱)に設けられた収納スペース内に商用交流電源のアウトレット(コンセント)が配設されてなる充電スタンドが開示されている。
【先行技術文献】
【特許文献】
【０００３】
【特許文献１】特開２０１０−１１００５３号公報
【発明の概要】
【発明が解決しようとする課題】
【０００４】
ところで、上述のような充電スタンドは屋外に設置されているため、気温の上昇とともにスタンド本体内の雰囲気温度も上昇する。一方、スタンド本体内にはコンセント以外の電気機器(例えば、コンセントの差込口を照明するための照明装置など)が収納される場合がある。このような電気機器が正常に動作するためには、スタンド本体内の雰囲気温度が当該電気機器の使用温度範囲(例えば、マイナス１０℃〜４０℃)内であることが必要となる。しかしながら、真夏に直射日光が当たる場合などにおいては、スタンド本体内の雰囲気温度が気温よりも大幅に高くなることがあり、上述した電気機器が正常に動作しなくなったり、故障してしまう虞がある。また、使用温度範囲外で使用された場合に電気機器の寿命が短くなってしまう虞もある。
【０００５】
本発明は、上記課題に鑑みて為されたものであり、スタンド本体内の雰囲気温度の上昇に伴う不具合の発生を抑制することを目的とする。
【課題を解決するための手段】
【０００６】
本発明の充電スタンドは、箱状に形成されて屋外に設置されるスタンド本体と、当該スタンド本体内に配設されるコンセント及び電気機器と、前記スタンド本体内の雰囲気温度の上昇を抑制する温度上昇抑制手段とを備えることを特徴とする。
【０００７】
この充電スタンドにおいて、前記温度上昇抑制手段は、前記スタンド本体の外側に設けられて太陽光を遮る遮光部材であることが好ましい。
【０００８】
この充電スタンドにおいて、前記温度上昇抑制手段は、前記コンセントや電気機器を多重に囲むハウジング構造であることが好ましい。
【０００９】
この充電スタンドにおいて、前記スタンド本体は、下端部分が地中に埋設されてなり、前記温度上昇抑制手段は、前記下端部分における前記スタンド本体内の空気を上方へ送る送風装置であることが好ましい。
【００１０】
この充電スタンドにおいて、前記温度上昇抑制手段は、前記スタンド本体内の空気を冷却する冷却装置であることが好ましい。
【発明の効果】
【００１１】
本発明の充電スタンドは、スタンド本体内の雰囲気温度の上昇に伴う不具合の発生を抑制することができるという効果がある。
【図面の簡単な説明】
【００１２】
【図１】本発明に係る充電スタンドの実施形態１を示す斜視図である。
【図２】同上の遮光部材を外した状態を示し、(ａ)は正面図、(ｂ)は左側面図、(ｃ)は背面図である。
【図３】同上におけるコンセントユニットを示し、扉が開いた状態の正面図である。
【図４】同上におけるコンセントユニットを示し、扉が開いた状態の斜視図である。
【図５】同上におけるコンセントユニットを示し、扉が開いた状態の斜視図である。
【図６】同上のカバーを外した状態のスタンド本体の上面図である。
【図７】同上の回路ブロック図である。
【図８】実施形態２を示す斜視図である。
【図９】実施形態３を示す一部省略した正面図である。
【発明を実施するための形態】
【００１３】
（実施形態１）
本実施形態の充電スタンドは、図２〜図６に示すように電気自動車を駐車する地面に立設されるスタンド本体１と、電気自動車を充電するための充電ケーブル100のプラグ110が差込口20Aに挿抜自在に差込接続されるコンセント20とを備えている。
【００１４】
スタンド本体１は、長尺の矩形板状に形成された３枚の金属板(左側板２，右側板３，背板４)を組み立てることで前面並びに天面、底面がそれぞれ開口した角筒状に形成され、扁平な箱形のカバー５によって天面の開口が閉塞されている。左側板２並びに右側板３の内側面には背板４と並行するようにして取付板1B(図６参照)が取着されている。すなわち、スタンド本体１の内部が取付板1Bによって前後に区分けされており、後述するコンセントユニット10が取付板1Bの前方(図６においては上方)の空間に収納され、後述する漏電遮断器200や給電用の電源ケーブル(図示せず)が取付板の後方(図６においては下方)の空間に収納(配線)される。なお、コンセントユニット10及び漏電遮断器200は取付板1Bにねじ止めによって取り付けられる。
【００１５】
また、スタンド本体１前面における最上部及び最下部には矩形板状の上パネル7A及び下パネル7Bが取り付けられている。そして、スタンド本体１内において上パネル7Aの下端から下パネル7Bの上端までの前方空間に、コンセントユニット10をそれぞれ収納するための４つの収納空所が上下方向に並設されている。
【００１６】
コンセントユニット10は、図３及び図４に示すように筐体11、コンセントブロック12、扉13、天井カバー14などを具備している。筐体11は、金属板により前面に開口窓11Aを有する箱形に形成されている。天井カバー14は下面が開口する箱形に形成され、筐体114の天面(上面)を覆うように筐体11に取り付けられる。扉13は扁平な矩形箱状に形成されており、開口窓11Aを塞ぐ閉位置と開口窓11Aを開放する開位置との間で水平方向(前後方向)に回動自在となるように、ヒンジ部13Aによって左側端部が筐体11の前面側左端部に軸支されている。また、扉13にはロック装置15が取着されており、閉位置にあるときにロック装置15によって扉13がロックされる。なお、扉13の下端部における左右方向の中央部には、充電ケーブル100が引き出される切り欠き(引出口)13Bが形成されている。
【００１７】
コンセントブロック12は、前面に差込口20Aが設けられたコンセント20と、コンセント20を保持し且つコンセント20の前面を覆うコンセントプレート12Aと、コンセントプレート12Aの中央に開口するプラグ挿入口12Bを開閉自在に塞ぐコンセントカバー12Cとを有する。コンセントプレート12Aは、プラグ挿入口12Bが開口する中央部分が前方へ突出し、当該中央部の左右両端部にそれぞれねじ挿通孔12Dが形成されている。コンセントカバー12Cは略半円板状に形成され、直線部分においてコンセントプレート12Aの中央部分に回動自在に軸支される。つまり、コンセントカバー12Cは、コンセントプレート12Aのプラグ挿入口12Bを覆う閉位置と、プラグ挿入口12Bを開放する開位置との間で回動し、さらに図示しないねじりコイルばねのばね力によって開位置から閉位置に向かう向きに弾性付勢されている。但し、コンセントカバー12Cにはロック爪12Fが設けられており、閉位置においては、ロック爪12Fがコンセントプレート12Aに係合することでコンセントカバー12Cの回動が規制される。なお、コンセントプレート12Aの内側面には、充電ケーブル100の先端に設けられているプラグ110の被係合部(図示しない)と係合する係合部12Eが設けられており、コンセント20の差込口20Aに差込接続されたプラグ110が、係合部12Eと被係合部との係合によって抜け止めされる。
【００１８】
コンセントブロック12は、筐体11内部における上部後方に配設されている取付板11Bに対して、左右両端部のねじ挿通孔12Dに挿通されるねじによってねじ止めされる。ここで、取付板11Bは、後方に向かって徐々に下方へ下がるように傾いて配設されている。そのため、コンセント20の差込口20Aも水平面(前後左右を含む平面)に対して下向きに傾いて配置されている。
【００１９】
また、コンセントユニット10には、図７に示すようにインターロック装置16並びに照明装置17が設けられている。
【００２０】
インターロック装置16は、インターロックスイッチ16Aと、インターロックスイッチ16Aを介して給電路130に接続される励磁コイル16Bと、コンセント20への給電路111に挿入されて励磁コイル16Bが励磁されている間だけオンとなるリレー接点16Cとを有している。インターロックスイッチ16Aは、扉13が閉位置にあるときに扉13の後面から後方へ突出する駆動片13Cによってオンとされ、扉13が閉位置にないときはオフされる。つまり、扉13が閉位置にあれば、インターロックスイッチ16Aがオンして励磁コイル16Bに励磁電流が流れるため、リレー接点16Cがオンしてコンセント20への給電路111が閉成される。一方、扉13が閉位置になければ、インターロックスイッチ16Aがオフし、リレー接点16Cもオフしてコンセント20への給電路111が開成される。したがって、インターロック装置16により、扉13が閉位置にないときはコンセント20への通電がオフされ、扉13が閉位置にあるときにだけコンセント20への通電がオンされる。
【００２１】
照明装置17は、白色の発光ダイオードからなる光源部17Aと、給電路130を介して供給される交流電力を直流電力に変換し、当該直流電力によって光源部17Aを発光(点灯)させる点灯回路部17Bとを有し、天井カバー14内に収納されている。図５に示すようにコンセントユニット10の筐体11内部における天面に光源部17Aが露出されており、光源部17Aから放射される光によって筐体11の内部が照明される。なお、点灯回路部17Bは、インターロックスイッチ16Aがオフのとき、すなわち、扉13が開いているときにのみ光源部17Aを点灯させる。
【００２２】
上述のように構成されるコンセントユニット10は、前面側からスタンド本体１内の収納空所内に収納され、取付板1Bに対して筐体11がねじ止めされることでスタンド本体１に固定される。上述したようにスタンド本体１内には同一寸法の４つの収納空所が上下方向に並設されており、これら４つの収納空所の何れにもコンセントユニット10を収納することができる。但し、コンセントユニット10が収納されない収納空所の前面は平板状のカバー7Cで閉塞される。
【００２３】
ところで、インターロック装置16や照明装置17などの電気機器は、使用温度範囲(例えば、マイナス１０℃〜４０℃)外の温度環境下で使用された場合に正常に動作しなかったり、故障したり、あるいは寿命が短くなってしまう虞がある。一方、本実施形態の充電スタンドは屋外に設置されるものであるから、例えば、夏季の直射日光下においては、前記使用温度範囲の上限値(例えば、４０℃)を上回る高温環境下で使用される場合もある。
【００２４】
そこで本実施形態では、図１に示すように太陽光を遮る遮光部材６がスタンド本体１の外側に設置されている。この遮光部材６は、前面及び下面が開口する長尺の箱形に形成され、スタンド本体１の前面が前面開口から外部に臨ませるようにしてスタンド本体１をその内側に収納している。但し、遮光部材６の前面開口を開閉自在に塞ぐ扉が設けられてもよい。また、スタンド本体１が壁際に設置される場合等においては太陽光の照射向きが限定されるので、必ずしもスタンド本体１全体が遮光部材６で覆われていなくてもよく、例えば、スタンド本体１の左右両側のみに遮光部材６が設置されても構わない。
【００２５】
而して、遮光部材６によって太陽光が遮られるため、スタンド本体１内の温度上昇、ひいてはコンセントユニット10の筐体11内の温度上昇が抑制される。その結果、インターロック装置16や照明装置17などの電気機器が使用温度範囲の上限を超える温度環境下で使用されることが抑えられ、これらの電気機器の誤動作や故障、並びに短寿命化を防ぐことができる。つまり、本実施形態の充電スタンドでは、スタンド本体１内の雰囲気温度の上昇に伴う不具合の発生を抑制することができる。なお、本実施形態では使用温度範囲が規定されている電気機器としてコンセント20やインターロック装置16や照明装置17を例示したが、電気機器の種類はこれらに限定されるものではない。例えば、電気自動車の充電に対する課金や登録された使用者の認証などの処理を行うための電気機器(コントローラ)などであってもよい。
【００２６】
ところで、本実施形態ではコンセント20や電気機器を多重に囲むハウジング構造によっても電気機器の周囲の雰囲気温度の上昇を抑えることができる。例えば、図６に示すように左右の側板２，３が中空構造に形成されており、側板２，３の中空部分における空気(あるいは断熱材が充填されても良い)の断熱効果によってコンセントユニット10の筐体11内における雰囲気温度の上昇が抑制される。さらに、コンセント20については、スタンド本体１及び取付板1B及びコンセントユニット10の扉13からなる外側のハウジング構造と、コンセントユニット10の筐体11及びコンセントプレート12Bからなる内側のハウジング構造との二重構造で囲われている。また、照明装置17については、スタンド本体１及び取付板1B及びコンセントユニット10の扉13からなる外側のハウジング構造と、コンセントユニット10の筐体11及び天井カバー14からなる内側のハウジング構造との二重構造で囲われている。このように、コンセント20や電気機器が二重のハウジング構造で囲われているため、それぞれのハウジング構造の間に存在する空気層の断熱効果によって、コンセント20や電気機器の周囲の雰囲気温度の上昇が抑えられている。
【００２７】
(実施形態２)
本実施形態の充電スタンドは、図７に示すようにスタンド本体１の下端部分Ｘが地中に埋設され、下端部分Ｘにおけるスタンド本体１内の空気を上方へ送る送風装置８が設けられている点に特徴がある。但し、これ以外の構成は実施形態１と共通であるから、共通の構成要素には同一の符号を付して図示並びに説明を省略する。
【００２８】
送風装置８は、スタンド本体１内の下端部分Ｘよりも若干上に配設されており、図示しないファンが回転することにより、下端部分Ｘの空気を上方に送り出している。つまり、地中に埋められている下端部分Ｘでは、直射日光が当たらず且つ外気にも直接触れないので、スタンド本体１の他の部分(地表に出ている部分)に比べて、内部の空気の温度が相対的に低くなっている。故に、下端部分Ｘの低温の空気を送風装置８で上方に送り出すことにより、スタンド本体１内の雰囲気温度を下げることができる。但し、スタンド本体１内の下端部分Ｘよりも下に送風装置８が配設されていても構わない。
【００２９】
上述のように本実施形態によれば、地中に埋設されたスタンド本体１の下端部分Ｘにおけるスタンド本体１内の空気が送風装置８で上方へ送られるため、スタンド本体１内の温度上昇、ひいてはコンセントユニット10の筐体11内の温度上昇が抑制される。その結果、インターロック装置16や照明装置17などの電気機器が使用温度範囲の上限を超える温度環境下で使用されることが抑えられ、これらの電気機器の誤動作や故障を防ぐことができる。なお、送風装置８は必ずしも常時動作している必要はなく、例えば、タイマ制御によって昼間だけ動作したり、あるいは、温度センサで検出されるスタンド本体１内の雰囲気温度が使用温度範囲の上限を超えたときに動作してもよい。
【００３０】
(実施形態３)
本実施形態の充電スタンドは、図８に示すようにスタンド本体１内の空気を冷却する冷却装置９が設けられている点に特徴がある。但し、これ以外の構成は実施形態１と共通であるから、共通の構成要素には同一の符号を付して図示並びに説明を省略する。
【００３１】
冷却装置９は、コンセントユニット10の天井カバー14内に配設されている。この冷却装置９は、例えば、スタンド本体１の外から取り込んだ空気を電気機器(インターロック装置16や照明装置17など)に当てる冷却ファンや、あるいはペルチエ効果を利用して電気機器を直接冷却するものなどである。
【００３２】
上述のように本実施形態によれば、スタンド本体１内に冷却装置９が設けられているので、インターロック装置16や照明装置17などの電気機器が使用温度範囲の上限を超える温度環境下で使用されることが抑えられ、これらの電気機器の誤動作や故障を防ぐことができる。なお、冷却装置９は必ずしも常時動作している必要はなく、例えば、タイマ制御によって昼間だけ動作したり、あるいは、温度センサで検出されるスタンド本体１内の雰囲気温度が使用温度範囲の上限を超えたときに動作してもよい。
【符号の説明】
【００３３】
１  スタンド本体
６  遮光部材(温度上昇抑制手段)
10  コンセントユニット
【図１】
2012095426.tif 000003
【図２】
2012095426.tif 000004
【図３】
2012095426.tif 000005
【図４】
2012095426.tif 000006
【図５】
2012095426.tif 000007
【図６】
2012095426.tif 000008
【図７】
2012095426.tif 000009
【図８】
2012095426.tif 000010
【図９】
2012095426.tif 000011